(57)【要約】【課題】うちわ本体の構造を単純にし、発光箇所、発光色、発光表示内容等の選択をし易く、製品を安価にする。【解決手段】  うちわ本体２に透明板を用い、その透明板２に蛍光色を施して発光箇所１７を設け、その透明板２の近傍又は内部に発光源５として紫外線発光ダイオードを設置し、その紫外線発光ダイオード５から放射される紫外線を透明板内に入射させ、その透明板２の発光箇所１７を発光させる。そして、上記透明板２に設ける発光箇所１７を蛍光インキ使用の印刷によって蛍光色を施して設ける工程を採用するのが好ましい。【選択図】        図１
2005143821.tif 000002
【特許請求の範囲】
【請求項１】
うちわ本体の近傍又は内部に発光源を設置し、その発光源から放射される光線をうちわ本体内に入射させ、そのうちわ本体に設けた発光箇所を発光させる発光うちわであって、上記うちわ本体に透明板を用い、その透明板に蛍光色を施して発光箇所を設け、発光源に紫外線発光ダイオードを用いることを特徴とする発光うちわ。
【請求項２】
透明板に設ける発光箇所を、蛍光インキ使用の印刷により蛍光色を施して設けることを特徴とする請求項１記載の発光うちわの製造方法。
【発明の詳細な説明】
【技術分野】
【０００１】
本発明は、暗中の広告、装飾、演出等の各種表示に適する発光機能付きのうちわに関する。
【背景技術】
【０００２】
従来、うちわは多数の骨材を配置して紙等を張り付けた平たい部分を本体とし、そこに柄を付け、あおいで涼をとる道具として広く使用されている。しかも、うちわ本体の両面は広いので、そこに文字、マーク、図柄等を施して、広告、装飾、演出等の各種表示を行っている。しかし、暗中ではそのような表示は見え難くなる。そこで、うちわに発光機能を与えて、うちわを持つ人の存在を際立たせ、表示を暗中でも見えるようにするため、発光うちわが提案された。この発光うちわは夏期の夕方から夜間に行われる夏祭り、盆踊り、花火大会、野外コンサート、野球大会等、多数の人が集まる各種のイベントで使用すると、会場の雰囲気を盛り上げることができる。
【０００３】
そして、このような発光うちわとして、うちわの骨部分に光ファイバーを使用し、うちわの外周を星のように輝かすことのできる光ファイバーを用いたうちわ（特許文献１）、多数の放射状に配設した透明合成樹脂製支骨を有し、光を支骨の先端より発光させてなる団扇（特許文献２）、うちわの扇面に多数の光ファイバーを配設して、光ファイバーの先端部から変色した光を放って、扇面の周縁部で異なる色の光を移動させると共に、扇面の表側に裏面に文字や模様を印刷した透明フィルムを張設し、各光ファイバーの文字や模様の輪郭を白抜きにして、同輪郭に当る位置にＶカットを施すことで、Ｖカット部分から発光して文字や模様を強調することができる照明付うちわ（特許文献３）が知られている。
【０００４】
又、骨材を光反射物質が混入された光透過性樹脂で形成して、骨材の先端および表面から光を発生させると共に、骨材の表面に化粧部材を張り付けた発光うちわ（特許文献４）、透明な材質より成る扇体の骨格基部から多数の放射骨を分岐し、その放射骨の中間の分岐部を扇体からの発光点とし、また疑似骨や縁部材を設けて発光点を多くし、更に骨格の表面に貼着した扇面板にホログラムシート等を用いて、外光により視認可能な模様または図柄を備え、明所での美観を得る発光うちわ（特許文献５）が知られている。
【特許文献１】実開昭６１―１３４３１６号公報
【特許文献２】実開昭６４―７８１８号公報
【特許文献３】特開平７―３２７７２０号公報
【特許文献４】実開平７―２５８１６号公報
【特許文献５】特開２００２―３３０８１０号公報
【発明の開示】
【発明が解決しようとする課題】
【０００５】
しかしながら、それ等の発光うちわはいずれもうちわ本体に発光源から放射される光線を導くため、多数の光ファイバーや骨材を放射状に配設している。そして、うちわ本体の発光箇所を各光ファイバーや各骨材の先端が臨む外周部から両面へと広げて行き、光ファイバーにＶカットを施し、骨材に光反射性物質を混入し、各放射骨を分岐し、疑似骨や縁部材を設ける等して発光点や発光する線部を増すことにより発光箇所を多くしている。又、うちわ本体に裏面に文字や模様を印刷した透明フィルム、化粧部材、ホログラムシート等を貼着している。それ故、発光うちわの本体構造が複雑になり、そのうちわ本体に設ける発光箇所、発光色、発光表示内容等を自由に選択し難く、製品が高価になる等の問題がある。
【０００６】
本発明はこのような従来の問題点に着目してなされたものであり、うちわ本体の構造が単純で、そのうちわ本体に設ける発光箇所、発光色、発光表示内容等を選択し易く、製品が安価な発光うちわ並びにその製造方法を提供することを目的とする。
【課題を解決するための手段】
【０００７】
上記目的を達成するために、本発明による発光うちわはうちわ本体の近傍又は内部に発光源を設置し、その発光源から放射される光線をうちわ本体内に入射させ、そのうちわ本体に設けた発光箇所を発光させる。そして、上記うちわ本体に透明板を用い、その透明板に蛍光色を施した発光箇所を設け、発光源に紫外線発光ダイオードを用いる。
又、上記透明板に設ける発光箇所を、蛍光インキ使用の印刷によって蛍光色を施して設ける工程を採用するのが好ましい。
【発明の効果】
【０００８】
本発明の発光うちわはうちわ本体に透明板を用いることにより、その透明板内に入射する光線を板の両面から一部ずつ順次屈折透過により外部に放出させながら、その両面間の反射により内部を通過して遠方まで送れるので、透明板の表面全体から光線を放出できる。そして、透明板に蛍光色を施した発光箇所を設け、発光源に紫外線発光ダイオードを用いると、発光箇所に施した蛍光色に紫外線を当てて、良く発光させ、暗中で表示を見ることができる。それ故、うちわ本体に透明板を用いるだけでよく、構造が単純になり、その透明板に蛍光色を施すだけでよいため、発光箇所の位置、面積、発光色の数、組み合せ、発光表示内容等を自由に選択でき、製品を安価にすることができる。
【０００９】
そして、蛍光インキ使用の印刷法を採用すると、発光箇所に簡単に蛍光色を施すことができ、多量生産に適するので、製品を一層安価にできる。
【発明を実施するための最良の形態】
【００１０】
以下、添付の図１〜３を参照して、本発明の実施の最良形態を説明する。
図１は本発明を適用した発光うちわの正面図、図２はその右側面図である。この発光うちわ１は平たい部分を本体２とし、そのうちわ本体２に柄３を付けた構成にする。そして、うちわ本体２には円形状で厚みが例えば１．５〜２ｍｍ程の均一なプラスチック製の透明板を用いる。その際、透明板としてアクリル樹脂が透明度が最も高く、光を良く透過するので適している。又、柄３には強度の大きなプラスチック材として、例えばＡＢＳ樹脂からなる先端部付近を除き、他の大部分の幅が２５ｍｍ、厚みが１５ｍｍ程の筒体を用いる。  
【００１１】
そこで、うちわ本体２に柄３を取り付けるため、その周辺部の一部を柄３の取り付け箇所にし、そこに発光うちわ１の発光制御部４を構成する発光源５付きコントロール基板６を嵌めて設置するための切り欠き凹所７を設ける。その際、発光制御部設置凹所７の中央最奥に発光源５を設置し、手前側にコントロール基板６の大部分を設置する。一方、柄３はその先端部付近をうちわ本体２の柄取付箇所を挟んで結合する挟持部８（８ａ、８ｂ）にするため、長手方向に沿って２等分割した分割体９（９ａ、９ｂ）にする。しかも、その各分割体９の挟持部８をいずれも先端方向と左右方向に夫々円弧状に突出するようにして扇状に拡張し、更にその挟持部８の厚みを先端方向と左右方向に行く程薄くする。
【００１２】
そして、柄３の挟持部８の内部空間を発光源５とコントロール基板６を収納する発光制御部収納部にし、中央部の内部空間を１個又は複数個例えば２個の単３又は単４電池１０（１０ａ、１０ｂ）を直列接続して収納する電池収納部にする。しかも、その電池収納部を構成する内部空間の両端に、先端側には電池１０ａの＋極との接触用ばね片１１ａ、後端側には電池１０ｂの−極との接触用ばね片１１ｂを設置する。又、柄３の片側を構成する一方の分割体９ａの周壁に電池挿入、取り出し用の長方形状開口部を設け、そこに電池蓋１２を備え付ける。
【００１３】
この電池蓋１２は電池収納部の開口部に対し、装着脱可能にするため、先端部に開口部の周縁内側に掛かるＬ形状屈曲部（図示なし）を設け、後端部を内部の受け部材にねじ１３で止めるねじ止め箇所にする。又、電池蓋１２付き分割体９ａにはその挟持部８ａの付け根側にスイッチとして、例えば操作つまみを外部に臨ませたスライドスイッチ１４を備え付ける。なお、柄３の後端部にはリング状突部１５を設け、そこに紐等を結び付けて使用できるようにし、或いはそのままでフック等に掛けられるようにする。
【００１４】
このようにして、柄３の先端付近に発光源５を内蔵するが、その発光源５として紫外線発光ダイオードを用いる。その際、紫外線発光ダイオード５として、例えば３８０〜４１０ｎｍの波長帯の光線を発生するものが、蛍光物質に当ると可視光線を出す紫外線（ブラックライト）を多く含むので適している。そして、その紫外線発光ダイオード５に、図３に示す電気回路の構成によって、その紫外線発光ダイオード５の点滅を制御する制御回路１６、電源電池１０、操作用スライドスイッチ１４を接続する。この点滅制御回路１６はコントロール基板６に搭載されたマイコンチップにプログラミングすること等によって内蔵されており、その点滅周期を例えば０．５秒点灯、０．１秒消灯にし、或いはゆっくりと１秒点灯、０．５秒消灯等に設定することができる。
【００１５】
そこで、うちわ本体２に紫外線に反応する蛍光色を施す。その際、例えば蛍光インキを用いてうちわ本体２を構成する透明板の表面に、直接シルクスクリーン印刷によって蛍光色を施す。このような蛍光インキとして、蛍光顔料を含む各種の蛍光色、例えばオレンジ、オレンジイエロー、ブルー、レッド、マゼンタ、レモン、グリーン、レッドオレンジ、サリーズ、ホワイト等のインキが販売されている。それ故、蛍光インキ使用の印刷法を採用すると、透明板の表面に簡単に蛍光色を施して発光箇所を設けることができ、多量生産にも適するので、製品を安価にすることができる。なお、図１ではうちわ本体２の片面中央部を発光箇所１７とし、そこに蛍光インキを使用して会社名を大きく印刷したものを示している。
【００１６】
組立時にはうちわ本体２の柄取付箇所にある凹所７内に、紫外線発光ダイオード５とコントロール基板６を設置しながら、その箇所を柄３を構成する分割体９の挟持部８で挟み、２本のねじ１８（１８ａ、１８ｂ）を用いて、それ等をねじ止めして一体に結合し、柄３を取り付ける。そして、分割体９の後端部を１本のねじ１９を用いて互いに結合すると、柄３が完成すると同時に、発光うちわ１が完成する。その際、紫外線発光ダイオード５と両挟持部８との間に薄いアルミニウム板等の遮蔽体を夫々介在することにより、発光ダイオード５から放射される紫外線が発光と関係のない不必要な方向に放射されず、うちわ本体２の外周方向に向って放射されるようにする。
【００１７】
この発光うちわ１を使用する場合、普通のうちわと同様に柄３を握ってあおぐと、そのうちわ本体２で風を起こすことができる。又、柄３の挟持部８にあるスイッチ１４を操作してオンにすると、発光ダイオード５を点灯でき、設定した点滅状態にできる。そして、発光ダイオード５から放射される紫外線がうちわ本体２を構成する透明板に入射する。すると、透明板内に入射する紫外線を一部ずつ順次板の両面から屈折透過により外部に放出させながら、その両面間の反射により内部を通過して遠方にある外周まで送れるので、透明板の表面全体から紫外線を放出できる。
【００１８】
このため、透明板表面の発光箇所に施した蛍光色に紫外線が当たり、良く発光するので、暗中でも発光箇所、発光色、発光表示内容等を見ることができる。それ故、うちわ本体２に透明板を用いるだけでよく、うちわ本体２の構造が単純になり、その透明板に蛍光色を施すだけでよいため、発光箇所の位置、面積、発光色の数、組み合わせ、発光表示内容等を自由に選択でき、製品を安価にすることができる。
【００１９】
上記実施の形態ではうちわ本体２を構成する透明板に蛍光色を施すため、蛍光インキを使用する場合について説明したが、蛍光塗料等を使用することもできる。
【００２０】
又、上記実施の形態ではうちわ本体２を構成する透明板に切り欠き凹所７を設け、その凹所７の内部に紫外線発光ダイオード５を設置することにより、うちわ本体２の近傍に紫外線発光ダイオード５を設置する場合について説明したが、透明板に穴を設け、その穴内に紫外線発光ダイオードを設置することにより、その透明板の内部に紫外線発光ダイオードを設置することもできる。
【図面の簡単な説明】
【００２１】
【図１】本発明を適用した発光うちわの正面図である。
【図２】同発光うちわの右側面図である。
【図３】同発光うちわに内蔵する紫外線発光ダイオード点滅用の電気回路である。
【符号の説明】
【００２２】
１…発光うちわ  ２…うちわ本体（透明板）  ３…柄  ４…発光制御部  ５…発光源（紫外線発光ダイオード）  ６…コントロール基板  ７…発光制御部設置凹所  ８…挟持部  ９…柄分割体  １０…電池  １１…接触用ばね片  １２…電池蓋    １４…スライドスイッチ  １６…点滅制御回路  １７…発光箇所
【図１】
2005143821.tif 000003
【図２】
2005143821.tif 000004
【図３】
2005143821.tif 000005